(57)【要約】【課題】  例えばＡＥＤ（自動対外式除細動器）などの非常用物品を収納する保管庫で使用する、不特定多数の人が鍵を使用せずに解錠できるが、鍵の所持者でないと施錠できない錠前装置を提供する。【解決手段】  戸板２にカムロック錠１、停止具４、支持具７、固定具８、ボタン９を備え、固定具８に止め板３が軸棒５を介して回転可能に固定され、止め板３は支持具７と弾性体６で接続され、解錠方向へ回動し、停止具４に衝突して停止する。この時、ボタン９の重ね部が止め板３に乗り上げ、ボタン９は背面へ傾倒した状態を維持する。カムロック錠１のカムが施錠方向へ回動すると、止め板３と連動し、ボタン９の重ね部が止め板３から降り、ボタン９の係止部が止め板３を引き留め、施錠状態を維持する。戸板２の開口部から触手などでボタン９を背面へ倒すことで、ボタン９の係止部が止め板３から係脱し、解錠する。【選択図】図５
0003214189.tif 000002
【実用新案登録請求の範囲】
【請求項１】
鍵を用いた施錠機能と鍵を用いない解錠機能とを持った錠前装置において、
保管庫や室内等の開口部の枠（以下、枠という）に開閉可能に設けられた戸板（２）であって、
前記戸板（２）はカムロック錠（１）と開口部（２ａ）を備え、
本考案の錠前装置の正面を前記カムロック錠（１）の鍵差込口を備えた前記戸板（２）の前面とすると、背面には軸棒（５）を介して回動可能な止め板（３）を備え、
前記止め板（３）は、本考案の施錠状態では、前記枠に跨るように位置するが、前記施錠状態の位置から本考案の解錠状態の位置まで回動することで、前記枠から外れ、
前記止め板（３）と前記戸板（２）とを接続する弾性体（６）の弾性力によって、前記止め板（３）は前記解錠状態の位置まで回動する付勢力が常時与えられ、
前記施錠状態では、前記戸板（２）に備えたばね板状の弾性体であるボタン（９）が鉤状の係止部（９ｂ）で前記止め板（３）を係止することで前記止め板（３）の前記施錠状態を維持し、
前記開口部（２ａ）より触手などの手段で前記ボタン（９）を背面へ傾倒させることで、前記係止部（９ｂ）が前記止め板（３）から係脱し、前記解錠状態となり、
前記解錠状態では、前記ボタン（９）の重ね部（９ｃ）が前記止め板（３）の上に乗り上げ、前記係止部（９ｂ）が前記止め板（３）から係脱した状態を維持し、
前記カムロック錠（１）に鍵を差し込み回すことで、前記カムロック錠（１）のカム（１ａ）と前記止め板（３）が接触し、連動して前記施錠方向へ回動し、前記重ね部（９ｃ）が前記止め板（３）から降りると、前記ボタン（９）は背面へ傾倒した状態から弾性力で正面側へ戻り、前記係止部（９ｂ）が前記止め板（３）を係止することで前記施錠状態に復帰することを特徴とする錠前装置。
【考案の詳細な説明】
【技術分野】
【０００１】  本考案は、鍵を使わずに解錠するためのボタンを有する錠前装置に関する。
【背景技術】
【０００２】  戸、扉、蓋、引き出し、窓などの開閉を行うものには錠前装置を備えたものがあり、鍵による操作を行う事で施錠と解錠を行う。（例えば、特許文献１参照）
【先行技術文献】
【特許文献】
【０００３】
【特許文献１】特開２０１３−２１７９号公報
【考案の概要】
【考案が解決しようとする課題】
【０００４】  従来の錠前装置は鍵を所持していない人は解錠を行うことができず、人身や財産の保護、保安などの目的で用いられる一方で、例えばＡＥＤ（自動対外式除細動器）などの非常用物品を収納する保管庫で盗難防止の観点から錠前装置を用いて施錠を行ってしまうと、非常時には不特定多数の人が解錠を行えることが望ましいにも関わらず、解錠ができないという弊害が起き、また、不特定多数の人が鍵で解錠を行える場合は同時に施錠を行えるため、物品の状態が使用済みかそうでないか分からなくなる。【０００５】  本考案は鍵を所持していない不特定多数の人でも解錠ボタンを押して解錠はできるが、施錠を行う場合は鍵による操作が必要な錠前装置を提供することによって前述の欠点を解決しようとするものである。
【課題を解決するための手段】
【０００６】  前記目的を達成するために、本考案に係わる錠前装置は、鍵を用いた施錠機能と鍵を用いない解錠機能とを持った錠前装置において、保管庫や室内等の開口部の枠（以下、枠という）に開閉可能に設けられた戸板であって、戸板はカムロック錠と開口部を備え、本考案の錠前装置の正面をカムロック錠の鍵差込口を備えた戸板の前面とすると、背面には軸棒を介して回動可能な止め板を備え、止め板は、施錠状態では、枠に跨るように位置するが、施錠状態の位置から解錠状態の位置まで回動することで、枠から外れ、止め板と戸板とを接続する弾性体の弾性力によって、止め板は解錠状態の位置まで回動する付勢力が常時与えられ、施錠状態では、戸板に備えたばね板状の弾性体であるボタンが鉤状の係止部で止め板を係止することで止め板の施錠状態を維持し、開口部より触手などの手段でボタンを背面へ傾倒させることで、係止部が止め板から係脱し、解錠状態となり、解錠状態では、ボタンの重ね部が止め板の上に乗り上げ、係止部が止め板から係脱した状態を維持し、カムロック錠に鍵を差し込み回すことで、カムロック錠のカムと止め板が接触し、連動して施錠方向へ回動し、重ね部が止め板から降りると、ボタンは背面へ傾倒した状態から弾性力で正面側へ戻り、係止部が止め板を係止することで施錠状態に復帰することを特徴とする。
【考案の効果】
【０００７】  上述の様に、本考案の解錠ボタンを有する錠前装置は、例えばＡＥＤ（自動対外式除細動器）などの非常用物品を収納する保管庫での使用を目的とする場合、不特定多数の人が解錠を行うことができるが、鍵を所持していない人は施錠を行うことができないため、鍵の管理者は施錠されているかどうかで物品の使用状態を把握することが可能である。
【図面の簡単な説明】
【０００８】
【図１】本考案に係る錠前装置の分解斜視図である。
【図２】本考案に係る錠前装置の施錠時状態の正面図であり、止め板とボタンを隠線表示したものである。
【図３】本考案に係る錠前装置の解錠時状態の右側面図であり、戸板とカムロック錠及びボタンの位置関係を示したものである。
【図４】本考案に係る錠前装置の戸板、固定具、止め板、軸棒の位置関係を示した右側面の部分断面拡大図である。
【図５】本考案に係る錠前装置の解錠時状態の背面図であり、停止具と固定具と支持具を隠線表示したものである。
【図６】本考案に係る錠前装置の止め板とカムが連動する様子を表した背面図である。
【図７】本考案に係る錠前装置のボタンが背面へ傾倒した状態を表した右側面の部分断面拡大図である。
【図８】本考案に係る錠前装置のボタンに備えられた係止部によって止め板が静止する様子を表した右側面の部分断面拡大図である。
【図９】実施例に係る本考案の錠前装置を用いた扉を持つ保管庫の斜視図である。
【考案を実施するための形態】
【０００９】  以下、本考案の具体的な実施例について図面に基づいて説明する。
【実施例】
【００１０】  図１に示すように、錠前装置はカムロック錠１、戸板２、止め板３、停止具４、軸棒５、弾性体６、支持具７、固定具８、ボタン９からなる。【００１１】  戸板２は図２に示すように、カムロック錠１が配設され、ボタン９を触手などの手段で背面側へ傾倒させることができるようにした開口部２ａを備えており、図５に示すように、停止具４と支持具７と固定具８とボタン９が各々取り付けられている。【００１２】  図３に示すようにボタン９は当接部９ａを備え、当接部９ａで戸板２に固定され、当接部９ａを固定端とするばね板状の弾性体であって、施錠状態の止め板３との係止部９ｂと解錠状態の止め板３に乗り上げる重ね部９ｃを備えている。【００１３】  図４に示すように、止め板３は固定具８に対して、軸棒５を介して回転可能に固定されると共に、図５に示すように止め板３は支持具７と弾性体６で接続され、常時解錠方向に回動する付勢力が与えられる。【００１４】  図５に示すように、停止具４は、止め板３と衝突することで、解錠方向への回動を阻止し、解錠状態の止め板３にボタン９の重ね部９ｃが乗り上げる。【００１５】  図６に示すように、カムロック錠１が回転すると、カム１ａと止め板３が接触すると共に、止め板３は付勢力に抗して施錠方向へ回転する。【００１６】  図７に示すように、止め板３が付勢力に抗して施錠方向へ回転することで、重ね部９ｃが止め板３から降り、錠前装置背面側へ傾倒していたボタン９は弾性力で戸板２側に戻り、図８に示すように、係止部９ｂが止め板３を引き留める。【００１７】  図２のように係止部９ｂにより引き留められた止め板３は戸板２の外側に露出する。【００１８】  図９に示すように本考案を用いた戸板を保管庫の扉とし、扉の開閉軸を底面側へ設けることで施錠時は止め板３が枠１０を跨ぐことによって扉を引き留め、解錠時は止め板３が戸板内側へ入り込むことで、扉を開くことができる。
【符号の説明】
【００１９】１  カムロック錠
１ａ  カム
２  戸板
２ａ  開口部
３  止め板
４  停止具
５  軸棒
６  弾性体
７  支持具
８  固定具
９  ボタン
９ａ  当接部
９ｂ  係止部
９ｃ  重ね部
１０  枠
【図１】
0003214189.tif 000003
【図２】
0003214189.tif 000004
【図３】
0003214189.tif 000005
【図４】
0003214189.tif 000006
【図５】
0003214189.tif 000007
【図６】
0003214189.tif 000008
【図７】
0003214189.tif 000009
【図８】
0003214189.tif 000010
【図９】
0003214189.tif 000011